(57)【要約】【課題】  従来は、高速運転ができないとともに、カット刃の交換作業に時間がかかるばかりでなく、カット刃の調節が困難であった。【解決手段】  プリフォームを搬送しながらゲートをカットするゲートカット機構を備えたプリフォームのゲートカット装置であって、前記ゲートカット機構は、プリフォームの口部を係止するガイド板と、回転自在に軸支してなりプリフォームの胴部を嵌合する凹部を外周部に所定のピッチで形成した送り車と、ユニットベースの上面に半径方向に複数配設したカッターユニット部と、カットしたゲート屑を排出するゲート屑回収手段と、プリフォームの口部を押圧するプリフォーム押圧手段とからなり、前記カッターユニット部は、上下動可能でプリフォームサイズによりハンドル操作にて位置設定ができるとともに、着脱自在に取り付けられており、カット刃の交換が容易である。【選択図】    図２
2008073943.tif 000002
【特許請求の範囲】
【請求項１】
プリフォームを搬送しながらゲートをカットするゲートカット機構を備えたプリフォームのゲートカット装置であって、前記ゲートカット機構は、プリフォームの口部を係止するガイド板と、回転自在に軸支してなりプリフォームの胴部を嵌合する凹部を外周部に所定のピッチで形成した送り車と、ユニットベースの上面に半径方向に複数配設したカッターユニット部と、カットしたゲート屑を排出するゲート屑回収手段と、プリフォームの口部を押圧するプリフォーム押圧手段とからなり、前記カッターユニット部は、プリフォームの底部を嵌合し、ゲートを挿入する透孔を有するプリフォーム底部支持材を先端に設けたＬ字型アングル材と、前記Ｌ字型アングル材の下面に着脱自在に取り付けたカッター部とを備え、前記Ｌ字型アングル材は、前記送り車と同軸で回転する支持部材に昇降自在に設けた昇降板に着脱自在に取り付けられており、前記昇降板は、ユニットベース上に設けたカム機構によって昇降し、前記カッター部のカット刃はカム機構によって進退し、プリフォーム押圧手段は、カム機構によって昇降する押えヘッドを有していることを特徴とするプリフォームのロータリーゲートカット装置。
【請求項２】
昇降板を昇降させるカム機構は、昇降板に設けたリニアガイドを支持部材に設けたレールに嵌合させるとともに、昇降板の下端部に設けたカムローラをユニットベース上に設けたカムのカム溝に嵌合させることによって昇降自在としたことを特徴とする請求項１に記載のプリフォームのロータリーゲートカット装置。
【請求項３】
カッター部のカット刃を進退させるカム機構は、Ｌ字型アングル材の下面側に着脱自在に取り付けた固定板に進退自在にカット刃取付板を取り付け、前記カット刃取付板には上面が平坦面で下面がテーパー面とした楔状カット刃を取り付けるとともに、カット刃取付板を進退させるカムローラの軸を固着してなり、前記カムローラはユニットベース上に設けたカムのカム溝に嵌合していることを特徴とする請求項１又は２に記載のプリフォームのロータリーゲートカット装置。
【請求項４】
カット刃取付板を進退させるカムローラを嵌合するカム溝は、開口した上面が、カット刃を徐々にゲートに喰い込ませるように外方に湾曲していることを特徴とする請求項１〜３のいずれか１項に記載のプリフォームのロータリーゲートカット装置。
【請求項５】
カッターユニット部のＬ字型アングル材の先端部に設けたプリフォーム底部支持材は、中央部に穿設したゲート挿入孔が垂直なカッター刃の内面を有していることを特徴とする請求項１〜４のいずれか１項に記載のプリフォームのロータリーゲートカット装置。
【請求項６】
ユニットベースは、送り車との間隔をプリフォームサイズに依り任意に調節できるように昇降自在としたことを特徴とする請求項１〜５のいずれか１項に記載のプリフォームのロータリーゲートカット装置。
【発明の詳細な説明】
【技術分野】
【０００１】
この発明は、射出成型により形成された二軸延伸ブロー成型用プリフォームのロータリーゲートカット装置に関するものである。
【背景技術】
【０００２】
ＰＥＴボトル等の二軸延伸ブロー成型物を得るための一次成型物であるプリフォームには、成型時に形成されたゲートが残ってしまうため、このゲートをカットすることが行われている。プリフォームのゲートカット装置においては、ほぼ水平な状態（ゲートに対して直交する方向）でカットすることが求められ、カットした後のゲート屑は装置内に飛散することなく回収することが要求される。さらに、カットのスピード化が求められているとともに、カット刃を磨耗、破損等によって取替える際に、取替えやカット刃のカット位置の調整が容易であるなど、効率よく取り替え作業ができることが要求されている。
【０００３】
従来、プリフォームのゲートをカットする装置は、カット面を水平にカットするために、カット刃をシリンダ駆動装置によって回動させつつカットする方法（例えば、特許文献１参照）や、ゲートを湾曲した固定刃に接触させながら移動させ、相対的に固定刃を喰い込ませることによって切断する方法(例えば、特許文献２参照)が提案されている。さらに、切断したゲート屑の飛散を防止し確実に排出するために、ゲート切断手段と共に回転する可動部に導出路を設けて排出する方法（例えば、特許文献３参照）が提案されている。
【０００４】
【特許文献１】特開２０００−２１０９９２号公報
【特許文献２】特開２０００−１１７７８８号公報
【特許文献３】特開２００４−２６８５２３号公報
【発明の開示】
【発明が解決しようとする課題】
【０００５】
上記特許文献１に記載のようなシリンダ駆動装置によってカット刃を作動させる方法では、装置が高価になると共に、カット速度が、圧縮に依り安定せず切断面仕上りに欠ける、又切断の十分なスピード化を図ることが困難であるという問題がある。また、特許文献２に記載のような湾曲した固定刃に押し付けて切断する方法では、状況に依っては粉塵が生じる事があり、固定刃を成型することも水平に設置することも困難であり、一部の刃こぼれ等が生じた場合にも全体を一度に取り替えなければならないという問題がある。また、特許文献３に記載のようなゲート屑排出装置では、ゲート屑を確実に排出することができるものの、時には飛散する場合もあり、又、装置が複雑でメンテも悪く高価になるという問題がある。
【０００６】
そこで、この発明は、上記課題を解決するためになされたものであって、プリフォームのゲートカット面を水平に、しかもゲートを完全に切り取ることができるプリフォームのゲートカット装置を提供することを目的とする。また、カット刃の取り付けが容易であるとともに、カット刃の取替え作業が効率的であり、ゲート屑を完全に回収できるプリフォームのロータリーゲートカット装置を提供することを目的とする。  
【課題を解決するための手段】
【０００７】
この目的を達成するため、この発明に係るプリフォームのロータリーゲートカット装置は、プリフォームを搬送しながらゲートをカットするゲートカット機構を備えたプリフォームのゲートカット装置であって、前記ゲートカット機構は、プリフォームの口部を係止するガイド板と、回転自在に軸支してなりプリフォームの胴部を嵌合する凹部を外周部に所定のピッチで形成した送り車と、ユニットベースの上面に半径方向に複数配設したカッターユニット部と、カットしたゲート屑を排出するゲート屑回収手段と、プリフォームの口部を押圧するプリフォーム押圧手段とからなり、前記カッターユニット部は、プリフォームの底部を嵌合し、ゲートを挿入する透孔を有するプリフォーム底部支持材を先端に設けたＬ字型アングル材と、前記Ｌ字型アングル材の下面に着脱自在に取り付けたカッター部とを備え、前記Ｌ字型アングル材は、前記送り車と同軸で回転する支持部材に昇降自在に設けた昇降板に着脱自在に取り付けられており、前記昇降板は、ユニットベース上に設けたカム機構によって昇降し、前記カッター部のカット刃はカム機構によって進退し、プリフォーム押圧手段は、カム機構によって昇降する押えヘッドを有し、プリフォーム底部支持材とプリフォーム押圧手段に依り、クランプされ送り車及びガイド板よりプリフォームを浮かした状態にてゲートカットしていることを特徴とする。
【０００８】
また、昇降板を昇降させるカム機構は、昇降板に設けたリニアガイドを支持部材に設けたレールに嵌合させるとともに、昇降板の下端部に設けたカムローラをユニットベース上に設けたカムのカム溝に嵌合させることによって昇降自在とすることができる。また、カッター部のカット刃を進退させるカム機構は、Ｌ字型アングル材の下面側に着脱自在に取り付けた固定板に進退自在にカット刃取付板を取り付け、前記カット刃取付板には上面が平坦面で下面がテーパー面とした楔状カット刃を取り付けるとともに、カット刃取付板を進退させるカムローラの軸を固着してなり、前記カムローラはユニットベース上に設けたカムのカム溝に嵌合させることによって進退自在とすることができる。
【０００９】
また、カット刃取付板を進退させるカムローラを嵌合するカム溝は、開口した上面が、カット刃を徐々にゲートに喰い込ませるように外方に湾曲していることが好ましい。また、カッターユニット部のＬ字型アングル材の先端部に設けたプリフォーム底部支持材は、中央部に穿設したゲート挿入孔が垂直なカッター刃の内面を有していることが好ましい。また、ユニットベースは、送り車との間隔をプリフォームサイズに依り任意に調節できるように昇降自在とすることができる。
【発明の効果】
【００１０】
上記から明らかなように、この発明に係るプリフォームのロータリーゲートカット装置によれば、カッターをゲートに徐々に全てが一定速度にて喰いこませることによってゲートのカット面が滑らかになるばかりでなく、カット刃にも衝撃も与えずスムーズにカットすることができる。また、プリフォームを上下から押えてカットするので、カットする際にゲートがずれることがないから、カット面を水平にしかも所定の位置でカットすることができる。また、プリフォームを押えるカッターユニット部とプリフォーム押圧手段の昇降及びカット刃の進退はカム機構によって行うので、動作がスムーズで高速化を図ることができる。
【００１１】
さらに、カッターユニット部は着脱自在としたから、磨耗、破損等によってカット刃を取り替える場合にも、カッターユニット部を取り替えることで、取替え作業を効率的に行うことができるばかりでなく、ユニット取付後カット刃の調整が不要である。また、カット刃は、水平方向にスライド可能に取り付けられているから、磨耗、破損等が生じた場合には、カッターユニット部を取り外してカット刃を使用している部分とは反対側にスライドさせることで新たな部分を使用することができ、１つのカット刃を左側部分と右側部分と使い分けることが可能である。
【００１２】
また、カット刃を進退させるカット刃取付板は、遠心力とともにバネによって内方に付勢されているから、ゲートをカットする際にもガタが生じることなくスムーズにカットすることができる。また、カッターユニット部は、昇降可能であって高さを調節することができるから、プリフォームの大きさが異なっても容易に対応することができる。
【発明を実施するための最良の形態】
【００１３】
以下、図面を参照してこの発明の実施形態を説明する。参照する図面において、図１はこの発明の一実施形態に係るゲートカット装置全体の概略を示す説明用平面図、図２は要部を示す一部正面図、図３はカッターユニット部とプリフォーム押圧手段の要部を示す断面図、図４はカット刃を移動させる水平カムを示す斜視図、図５はゲート屑回収手段の要部を示す斜視図である。
【００１４】
プリフォームのロータリーゲートカット装置１は、図１に示すように、プリフォームＰを搬入するプリフォーム搬入機構３と、搬送されてきたプリフォームＰを受け取って搬送しながらゲートをカットするゲートカット機構５と、ゲートをカットしたプリフォームＰを次工程に排出するプリフォーム排出機構７とを備えている。
【００１５】
前記プリフォーム搬入機構３は、プリフォームＰを前工程から受け入れるシューター１０と、プリフォームＰをそれぞれ１本ずつ分離して搬入する搬入手段１１とからなる。前記シューター１０は、プリフォームＰの口部を係止するように所定の間隔を開けた一対のガイドバー１０ａ、１０ａによって搬入路１０ｂが構成されており、前記ガイドバー１０ａ、１０ａの上下方向にはプリフォームＰの横方向への振れを防止する図示しない一対の振れ止めバーを備えている。
【００１６】
前記一対のガイドバー１０ａ、１０ａと振れ止めバーは、プリフォームＰが搬入手段１１に向かって滑り落ちるように傾斜している。プリフォームＰは、口部をガイドバー１０ａ、１０ａによって係止されるとともに、胴部を前記触れ止めバーの間に挿入されて搬入手段１１へと移送される。前記搬入手段１１は、プリフォームＰをゲートカット機構５に確実に受け渡すための中間機構であって、搬送路１１ａに回転自在に送り車１１ｂを配設してなる。
【００１７】
前記搬送路１１ａは、送り車１１ｂと前記送り車１１ｂの外周側に沿って配設された略半円形状のガイド板１１ｄによって形成されており、シューター１０における搬入路１０ｂと連通している。送り車１１ｂの外周部には、プリフォームＰを一本ずつ搬送する切込１１ｃが所定のピッチで形成されている。前記送り車１１ｂは、図示するのを省略したが、所定の間隔を空けて前記送り車１１ｂと前記送り車２１とにより水平に運搬することが好ましい。ガイド板１１ｄは、送り車１１ｂの外周面との間にプリフォームＰを挿入できる間隔をもって配設されている。プリフォームＰは、前記搬送路１１ａに口部を係止されながら送り車１１ｂによって次のカット機構５へと搬送される。
【００１８】
プリフォーム搬入機構３から受領したプリフォームＰのゲートは、ゲートカット機構５においてカットされる。ゲートカット機構５は、図２に示すように、プリフォームＰを搬送する搬送手段１３と、ゲートをカットするゲートカット手段１５と、プリフォームをカット手段１５に固定する押圧手段１７とからなる。前記搬送手段１３とゲートカット手段１５とプリフォーム押圧手段１７は、図示しない駆動手段によって回転駆動されるスプラインシャフト１９に取り付けられている。前記スプラインシャフト１９は、軸方向に挿通した固定支柱１９ａによって支持されており、固定支柱１９ａの外周面を回転する。
【００１９】
前記プリフォーム搬送手段１３は、プリフォームＰを搬送する送り車２１と、送り車２１の外周側に配設された略円弧状のガイド板２２とからなる。送り車２１とガイド板２２との間の隙間が搬送路２０となる。送り車２１は、外周面との間にプリフォームＰを挿入できる間隔をもって、回転板２１ａの先端に配設することによって形成されている。ガイド板２２は、スプラインシャフト１９の外周側に配設されており、スプラインシャフト１９と送り車２１は一体に回転するが、ガイド板２２は外部に固定されている。前記搬送路２０は、搬送路１１ａと同様に、プリフォームＰを挿入可能な隙間によって形成されており、搬送路１１ａと連通している。
【００２０】
送り車２１の外周部は、図示するのを省略したが、前記搬入手段１１における前記送り車１１ｂと前記送り車２１の間に挿入させて回転するように構成されている。また、送り車２１を形成する外周部には、プリフォームＰの胴部を嵌合する略半円形状の凹部２７が形成されている。前記凹部２７のピッチは、前記送り車１１ｂの切込１１ｃと同一ピッチであって、送り車１１ｂと重なり合う部分において受け渡されるように構成されている。
【００２１】
次に、ゲートカット手段１５について説明する。ゲートカット手段１５は、前記スプラインシャフト１９の外周に配設された昇降自在なユニットベース３０と、前記ユニットベース３０上に固定されたカッター昇降用カム３１と、前記カッター昇降用カム３１の上方に配設され、スプラインシャフト１９と一体に回転する支持部材３３と、前記支持部材３３に昇降自在に取り付けられたカッターユニット部３５とからなる。
【００２２】
前記ユニットベース３０は、下面に配設したスクリュージャッキ３２の手動ハンドル３２ａを回動することによって、スプラインシャフト１９の外周に沿って昇降自在であり、各プリフォームの首下長さによってカッターユニット３５と前記送り車２１との間隔が調整できるように構成されている。プリフォームＰには、一般に２リットル用、１．５リットル用、１リットル用、０．９リットル用、０．５リットル用の５種類があり、それぞれ大きさが異なるためにカッターの高さ位置を調節しなければならない。そこで、この発明では、大きさが異なるプリフォームにも対応することができるように、カッターの高さ位置を調節できるように構成されている。ユニットベース３０とカッター昇降用カム３１及びカット刃進退用カム６０、ゲート屑回収手段６１、プリフォーム押圧手段１７のカム６３は、図示しない架台に固定されており回転はしない。
【００２３】
カッター昇降用カム３１は、円周上に水平なカム溝３１ａを有しており、前記カム溝３１ａは、後述するようにゲートをカットするときにカッターユニット部３５（カット刃）を最も高い位置になるように形成されている。支持部材３３は、スプラインシャフト１９に取り付けたスプラインボス３７の上部のスプラインボス３７ａにキー部材４０を係合させて昇降自在に連結されている。従って、支持部材３３は、スプラインシャフト１９と一体に回転することができるとともに、ユニットベース３０と一体に昇降することになる。
【００２４】
また、前記カッターユニット部３５は、カッター昇降用カム３１と支持部材３３の外周側に独立的に複数半径方向に配設されており、上記送り車２１の凹部２７に対応している。図示する実施形態では、図１に示すように３２個配設されている。そして、カッターユニット部３５は、プリフォームの底部を保持するプリフォーム保持部４１と、前記プリフォーム保持部４１に進退自在に配設されたカッター部４２からなる。
【００２５】
前記プリフォーム保持部４１は、略Ｌ字型のアングル材４３の先端部にプリフォーム底部支持材４４を設けてなり、内側面（スプラインシャフト１９側）に下端部にカムローラ４５を取り付けた昇降板４７に着脱自在に固着してなる。前記昇降板４７は支持部材３３の前面に垂直方向に設けた一対のレール４９に係合するリニアガイド５０によって上下動可能に取り付けられている。
【００２６】
従って、カムローラ４５がカム溝３１ａ内を走行すると昇降板４７とともにプリフォーム保持部４１も昇降することになる。また、前記カッターユニット部３５は、プリフォーム保持部４１を昇降板４７に着脱自在に固着することによって、カット刃５９が磨耗や破損時によって取り替える場合にも、独立したカッターユニット部３５自体を取り替えるか、カッター部４２を取り替えればよい。従って、カット刃５９の取替え作業を効率的に行うことができるばかりでなく、もっとも困難な作業であったカット刃５９の取付後の調整も不要となる。
【００２７】
また、カット刃５９は、カット刃取付板５３に対して水平方向(幅方向)にスライド可能に取り付けられているから、カット刃５９の使用している部分が磨耗や破損した場合には、カット刃５９を固定板５１から取り外して反対側(使用していない部分)を使用するようにスライドさせて固定することによって、新たな部分を使用することができる。このように、カット刃自体を取り替えることなく、左右の部分を使い分けるようにすることにより、実質的に最小２回の使用が可能となる。
【００２８】
前記プリフォーム底部支持材４４は、図９に示すように、プリフォーム底部を支持する凹部４４ａを有している。凹部４４ａの上部は次第に外方に拡径しており、垂直な内面は、挿入するプリフォームの外径とほぼ同じ大きさに形成されており、底面は中心部に向かう傾斜面に形成されている。底面の中心部にはゲートを挿入する透孔４４ｂが形成されている。前記透孔４４ｂは、挿入したゲートの隙間が小さいほど好ましく、また、後述するカット刃５９に対して固定刃として機能するように垂直面を有することが好ましい。
【００２９】
前記カムローラ４５は、カム溝３１ａに嵌合している。そして、カム溝３１ａを有するカッター昇降用カム３１は、ユニットベース３０に固定されていて回転はしないから、支持部材３３及びプリフォーム保持部４１が回転すると、昇降板４７は、カムローラ４５がカム溝３１ａに案内されて上下動することになる。このとき、昇降板４７は、レール４９に係合するリニアガイド５０によってスムーズに上下動し、着脱自在に取り付けられたプリフォーム保持部４１も一体に上下動することになる。
【００３０】
さらに、カッター部４２は、図３及び図６〜図８に示すように、カット刃５９がプリフォーム底部支持部材４４の下面を水平方向に進退するように設けてなる。即ち、略Ｌ字型アングル材４３の下面側固定板５１には、中央部に長孔５１ａが形成され、両側端縁部にバネ挿入部５１ｂが形成された固定板５１が着脱自在に取り付けられている。前記固定板５１には、固定板５１の上面と摺動可能なカット刃取付板５３が配設されており、前記カット刃取付板５３の両側面にカット刃取付板５３を進退自在にガイドするガイド板５５が取り付けられている。
【００３１】
前記固定板５１のバネ挿入部５１ｂにはカット刃取付板５３を先端側に付勢する押圧バネ５６が装着されている。さらに、カット刃取付板５３には、固定板５１の中央部の長孔５１ａを貫通してカムローラ５７の軸５７ａが固着されており、先端部にはプリフォーム底部のゲートをカットするカット刃５９が一体に取り付けられている。
【００３２】
カムローラ５７は、支持部材３３及びカッターユニット部３５がスプラインシャフト１９と一体に回転すると、遠心力によって嵌合しているカム溝６０ａの外側面に押し付けられるのを押圧バネ５６によって、カム溝６０ａの内側面に一層強く押し付けることになる。従って、カムローラ５７は、ゲートをカットする際には常にカム溝６０ａの内側面に押し付けられていてガタが生じることがなく、スムーズに、しかも一定速度にて確実にカットすることができる。
【００３３】
カット刃５９の刃先部分の形状は、図示するように、上面が平坦面に形成され、下面がテーパー面とした楔状に形成されている。カット刃５９は、前記プリフォーム底部支持材４４の下面を摺動することによってゲートを残さずに水平に完全にカットすることができる。このとき、プリフォーム底部支持材４４の透孔４４ｂの下端部に垂直面を形成し、垂直面と底面との角部が固定刃として作用させることができる。
【００３４】
次に、カムローラ５７をガイドするカット刃進退用カム６０と、カットしたゲート屑を回収するゲート屑回収手段６１について説明する。カット刃進退用カム６０は、図４に示すように、送り車２１によって搬送されるプリフォームＰのゲートにカット刃５９を徐々に押し付けるように外側に湾曲したカム溝６０ａを有している。カット刃進退用カム６０は、図１及び図２〜４に示すように、カムローラ５７が嵌合するように回転移動する途中に開口面を上方に向けて配設されており、カム溝６０ａの入口６０ｂと出口６０ｃは、カムローラ５７の軌道にあるが、中央部６０ｄは外側に湾曲しているからカムローラ５７を徐々に外側に向かって移動させることになる。
【００３５】
カムローラ５７が外側方向に移動すると、カムローラ５７の軸を固着したカット刃取付板５３とともに、カット刃５９が一体となって外側方向に移動することになり、カット刃５９は、プリフォームＰのゲートに徐々に喰い込んでカットすることになる。このとき、カムローラ５７は、押圧バネ５６によってカム溝６０ａの内側面に押し付けられているから、遠心力の作用を押え、なおかつガタが生じることなくスムーズにカットすることができる。カット刃進退用カム６０は、カムローラ５７の軌道の全体に設ける必要はなくその軌道の一部に設ければ足りる。
【００３６】
次いで、ゲート屑回収手段６１について説明する。ゲート屑回収手段６１は、カットしたゲート屑が飛散したり、装置内に侵入して装置の作動を阻害することを防止するために設けられるものである。ゲート屑回収手段６１は、図１及び図５に示すように、平面において湾曲した扁平形状の略漏斗状本体部６１ａと吸引用ダクトホース６１ｄを連結する筒口６１ｃとからなり、本体部６１ａはゲートのカットを開始し完全に終了する範囲に設けられている。ゲート屑回収手段６１の本体部６１ａは、図から明らかなように、プリフォームＰが搬送される軌道の下方に配設されている。
【００３７】
本体部６１ａは、プリフォームが搬送される軌道に沿って湾曲した扁平な略漏斗状に形成されており、上部開口６１ｂはプリフォーム底部支持材４４に近接している。ゲート屑の吸引力を保持するために、プリフォーム底部支持材４４との隙間は小さいほど好ましく、プリフォーム底部支持材４４の下面とはカット刃５９が侵入可能な隙間をもって配設されている。本体部６１ａの下端部の筒口６１ｃにはダクトホース６１ｄを介して図示しない吸引手段に接続されている。本体部６１ａ内に落下したゲート屑は吸引手段によって吸引回収される。
【００３８】
ゲート屑回収手段６１の本体部６１ａの入口側には、ゲートを侵入させる切欠６１ｅが形成されており、ゲートの移動方向の出口側に切り落とされずに残ったゲートを逃がすための弾性薄膜６１ｆを設けてなる。前記弾性薄膜６１ｆは、ゲートが突き当たったとき弾性変形するものであることが好ましい。
【００３９】
このように、切欠６１ｅを形成することによって、本体部６１ａの上面とプリフォーム底部支持材４４との間を小さくすることができ、又は弾性薄膜６１ｆを設けることによって、カット刃５９の磨耗や破損によって完全にカットされずにカット不良が生じた場合に、弾性薄膜６１ｆに突き当てて落とすことができ、落とされない場合には、残ったゲートを弾性変形によって通過、検出させることができるから、装置への衝撃を防止することができる。
【００４０】
次に、図２及び図３に基づいて、前記プリフォーム押圧手段１７について説明する。プリフォーム押圧手段１７は、前記プリフォーム搬送手段１３の上方に各プリフォーム保持部４１に対応して設けられている。プリフォーム押圧手段１７は、固定支柱１９ａの上端部に固定されたカム６３のカム溝６３ａに押え部６５を固定した連結杆６７に取り付けたカムローラ６７ａを嵌合させることによって形成されている。
【００４１】
前記連結杆６７の下面には、ガイドバー６９が固定されており、前記ガイドバー６９はスプラインシャフト１９の上部に固定された回転盤７０に上下動可能に挿通されている。前記ガイドバー６９の外周には、前記連結杆６７を回転盤７０に対し押上げている押圧バネ７１が配設されている。この押圧バネ７１によって連結杆６７は上方に押上げられ、カムローラ６７ａをカム溝６３ａの上面に押し付けられるから、カムローラ６７ａのガタが防止される。上記構成において、スプラインシャフト１９と共に回転盤７０が回転することによって、ガイドバー６９を介して連結杆６７も一体に回転し、カムローラ６７ａがカム溝６３ａ内を摺動するとともに、連結杆６７を上下動させることになる。
【００４２】
押え部６５は、前記連結杆６７に固定したボールブッシュ６５ａに、下端部に押えヘッド６５ｃを固着した軸６５ｂを上下動可能に挿通してなり、軸６５ｂは押圧バネ６５ｄによって下方に付勢されている。前記押さえヘッド６５ｃは、前記カッターユニット部３５及びプリフォームＰが、上昇と共に前記プリフォーム押圧手段１７が、下降し前記送り車２１に対しプリフォームＰを浮かした状態にてプリフォームＰの口部に挿入され、前記押圧バネ６５ｄの押圧力にてプリフォームＰをクランプしゲートをカットする。
【００４３】
次に、ゲートをカットしたプリフォームを排出する搬出機構７は、搬入機構３とは逆の構成であって、ゲートカット機構５からプリフォームＰを受け取って排出する排出手段８０と次工程に排出するシューター８１とからなる。排出手段８０は、搬送路２０と連通している搬出路８３と送り車８５からなる。送り車８５にはプリフォームＰを嵌入する凹部８５ａが形成されており、搬出路８３は送り車８５の外周に沿ってガイド板８２を配設することによって形成されている。
【００４４】
シューター８１は、プリフォームＰの口部を係止するように所定の間隔を開けた一対のガイドバー８７、８７によって搬出路８７ａが構成されており、搬出路８７ａは排出路８３と連通している。前記ガイドバー８７、８７の下方にはプリフォームＰの横方向への振れを防止する図示しない一対の振れ止めバーを備えている。
【００４５】
また、ガイドバー８７，８７の下方には、プリフォームＰを押し出す送りアーム８４ａを設けたコンベア８４が配設されている。送りアーム８４ａは、垂直な軸に回転自在に軸支されたプーリ８４ｂとプーリ８４ｂの間に券回されたベルト８４ｃに水平方向に所定の間隔で複数突設されており、搬出路８７ａに臨んでプリフォームＰを押しながら搬送するように構成されている。
【００４６】
次に、上記構成の作用について説明する。プリフォームＰがプリフォーム搬入機構３を構成する搬入路１０ｂに投入されると、送り車１１ｂによって連通している搬送路１１ａを通って一本ずつ搬送され、次のカット機構５へと受け渡される。プリフォーム搬入機構３から受領したプリフォームＰは、前記搬送路１１ａに口部を係止されながら送り車１１ｂによって次のカット機構５へと受け渡される。
【００４７】
プリフォーム搬入機構３から受領したプリフォームＰは、ゲートカット機構５の搬送路２０に投入されるとともに、送り車２１の外周部に形成された凹部２７に嵌入すると、プリフォームＰは、口部に設けたフランジ部がガイド板２２に係止しながら、胴部が送り車２１の凹部２７に嵌合することにより、送り車２１の回転によって移送される。プリフォームＰが、送り車２１によって搬送路２０内を搬送されてくると、同軸のスプラインシャフト１９によってカッターユニット部３５も回転しているから、カムローラ４５がカム溝３１ａ内を走行することによってカッターユニット部３５が次第に上昇する。
【００４８】
カッターユニット部３５が上昇すると、Ｌ字型アングル材４３に装着したプリフォーム底部支持材４４にプリフォームＰの底部が嵌入される。プリフォームＰの底部がプリフォーム底部支持材４４に嵌入すると同時に、プリフォームＰの口部が押え部６５によって押圧固定される。回転盤７０は、スプラインシャフト１９に固定されており、送り車２１及びカッターユニット部３５と同時に回転しているから、カム溝６３ａ内を走行するカムローラ６７ａによって連結杆６７が押し下げられる。連結杆６７が押し下げられると、押え部６５の軸６５ｂも同時に押し下げられ、押えヘッド６５ｃがプリフォームＰの口部に突き当てられる。
【００４９】
このようにして、カッターユニット部３５が上昇してプリフォームＰの底部をプリフォーム底部支持材４４に嵌入させると同時に、押え部６５が下降してプリフォームＰの口部に押えヘッド６５ｃを突き当ててプリフォームＰを上下から押圧固定する。プリフォームＰが固定されると同時に、カムローラ５７が嵌合しているカム溝６０ａによってカット刃５９が前進する。カット刃５９は、押圧バネ５６によって遠心力を押え、なおかつカム溝６０ａの内側面に押し付けられているから、ガタが生じることなくスムーズにゲートに喰い込む。
【００５０】
このとき、プリフォーム底部支持材４４の透孔４４ｂに挿入されたゲートは、徐々に前進してきたカット刃５９によって切断される。ゲートを挿入する透孔４４ｂの内面は、固定刃として機能するように垂直面に形成されており、前進してきたカット刃５９が徐々にゲートに喰い込むことによって滑らかな切断面に切断することができる。カットされたゲート屑は、ゲート屑回収手段６１によって回収される。
【００５１】
ゲートのカットが完了すると、カット刃５９が後退するとともに、カッターユニット部３５が下降し押え部６５が上昇する。ゲートをカットされたプリフォームＰが搬送路２０に口部を係止されながら搬送されて、排出機構７によって排出される。
【図面の簡単な説明】
【００５２】
【図１】この発明の一実施形態に係るロータリーゲートカット装置全体の概略を示す説明用平面図である。
【図２】要部を示す一部断面正面図である。
【図３】カッターユニット部とプリフォーム押圧手段の要部を示す断面図である。
【図４】カット刃を移動させる水平カムを示す斜視図である。
【図５】ゲート屑回収手段の要部を示す斜視図である。
【図６】ゲートカッター部の要部を示す平面図である。
【図７】同じく、ゲートカッター部の要部を示す正面図である。
【図８】同じく、ゲートカッター部の要部を示す側面図である。
【図９】プリフォーム底部支持材の拡大断面図である。
【符号の説明】
【００５３】
１：ロータリーゲートカット装置
３：プリフォーム搬入機構
５：ゲートカット機構  
７：プリフォーム搬出機構
１０：シューター  
１０ａ：ガイドバー  
１０ｂ：搬入路
１１：搬入手段  
１１ａ：搬送路  
１１ｂ：送り車
１１ｃ：切込  
１１ｄ：ガイド板
１３：搬送手段  
１５：ゲートカット手段  
１７：プリフォーム押圧手段  
１９：スプラインシャフト  
１９ａ：固定支柱
２０：搬送路  
２１：送り車  
２１ａ：回転板
２２：ガイド板
２３：搬送ベース
２４：スプラインボス
２５：ベアリング  
２７：凹部  
３０：ユニットベース  
３１：カッター昇降用カム
３１ａ：カム溝
３２：スクリュージャッキ
３２ａ：手動ハンドル
３３：支持部材、
３５：カッターユニット部  
３７：スプラインボス
３７ａ：スプラインボス
４０：キー部材
４１：プリフォーム保持部  
４２：カッター部
４３：Ｌ字型アングル材  
４４：プリフォーム底部支持材
４４ａ：凹部
４４ｂ：透孔
４５：カムローラ  
４７：昇降板    
４９：一対のレール
５０：リニアガイド  
５１：固定板  
５１ａ：長孔
５１ｂ：バネ挿入部
５３：カット刃取付板  
５５：ガイド板  
５６：押圧バネ  
５７：カムローラ  
５７ａ：カムローラの軸
５９：カット刃
６０：カット刃進退用カム
６０ａ：カム溝
６０ｂ：カム溝の入口
６０ｃ：カム溝の出口
６０ｄ：カム溝の中央部
６１：ゲート屑回収手段
６１ａ：略漏斗状本体部
６１ｂ：上部開口
６１ｄ：吸引用ダクトホース
６１ｃ：筒口
６１ｅ：切欠
６１ｆ：弾性薄膜
６３：カム
６３ａ：カム溝
６５：押え部
６５ａ：ボールブッシュ
６５ｂ：軸
６５ｃ：押えヘッド
６５ｄ：押圧バネ
６７：連結杆
６７ａ：カムローラ
６９：ガイドバー
７０：回転盤
７１：押圧バネ
８０：排出手段
８１：シューター
８２：ガイド板
８３：排出路
８５：送り車
８４：コンベア
８４ａ：送りアーム
８４ｂ：プーリ
８４ｃ：ベルト
８５ａ：凹部
８７：ガイドバー
８７ａ：搬出路
【図１】
2008073943.tif 000003
【図２】
2008073943.tif 000004
【図３】
2008073943.tif 000005
【図４】
2008073943.tif 000006
【図５】
2008073943.tif 000007
【図６】
2008073943.tif 000008
【図７】
2008073943.tif 000009
【図８】
2008073943.tif 000010
【図９】
2008073943.tif 000011